(57)【特許請求の範囲】
【請求項１】
両側に第１の板（２）および第２の板（３）が蝶番で留められているバックル（１０）を備え、
各前記板（２；３）は、段付きのロッキングピン（６；７）を含み、また、前記留め金（１）の閉鎖位置において、前記バックル（１０）に備えられた相補的ロッキング穴（８；９）と協働するように構成されており、
前記バックル（１０）は第１のプッシュボタン（１１）および第２のプッシュボタン（１２）を含み、前記第１のプッシュボタン（１１）および前記第２のプッシュボタン（１２）はそれぞれ、前記プッシュボタン（１１；１２）をロック位置へと戻す弾性復元手段（１３；１４）に対して同じ方向（Ｄ）に動くことができ、それぞれが２つのボルト（１５、１６；１７、１８）の前後運動を直接または間接的に制御するように構成されており、
前記２つのボルト（１５、１６；１７、１８）は、別の前記プッシュボタン（１２；１１）に制御されている反対側の前記２つのボルト（１７、１８；１５、１６）に向かって、前記方向（Ｄ）で対向し、各前記ボルト（１５、１６；１７、１８）は、前記閉鎖位置において、前記相補的ロッキング穴（８；９）の位置で、前記ロッキングピン（６；７）が備える狭窄部分（６Ａ；７Ａ）を押さえこむように構成されており、
各前記プッシュボタン（１１；１２）の個別の移動距離は、少なくとも２つの対向する前記ボルト（１５、１７；１６、１８）が、開位置において、前記ロッキングピン（６；７）の少なくとも１つの前記狭窄部分を解放する際の解放移動距離よりも小さく、前記プッシュボタン（１１；１２）両方の移動を累積した距離は、前記解放移動距離以上であり、
ブレスレット（１００）またはベルトの２つの端部（２００；３００）を保持するための３重折りたたみ式の安全な留め金（１）であって、
前記第１のプッシュボタン（１１）は、第１のロッキングピン（６）に対向する第１の一次ボルト（１５）と、第２のロッキングピン（７）に対向する第２の一次ボルト（１６）を、同時に、直接的に、かつ一体的に駆動し、
前記第２のプッシュボタン（１２）は、前記第１のロッキングピン（６）に対向する第１の二次ボルト（１７）と、前記第２のロッキングピン（７）に対向する第２の二次ボルト（１８）を、独立して駆動し、
前記２つのプッシュボタン（１１；１２）を一緒に作動させる場合にのみ、前記すべてのボルト（１５、１６；１７、１８）が前記解放移動距離全体にわたって移動し、前記第１のロッキングピン（６）および前記第２のロッキングピン（７）の両方を完全に解放し、
前記２つの二次ボルト（１７、１８）のうち１つは、前記ロッキングピン（６；７）のうち１つを、これに対応する前記相補的ロッキング穴（８；９）に対して挿入する間、ロック復元位置に留まり、ロック位置を取る
ことを特徴とする、３重折りたたみ式の安全な留め金（１）。
【請求項２】
前記ユーザが圧力をかけると、前記第２のプッシュボタン（１２）は、前記第２のプッシュボタン（１２）が備えるベアリング面（１２Ａ）を介して、前記第１の二次ボルト（１７）の第１のベアリング面（３１Ｂ）、または前記第１の二次ボルト（１７）を含む第１のメスのスライド（３１）を前記方向（Ｄ）に押し、および前記第２の二次ボルト（１８）の第２のベアリング面（３２Ｂ）、または前記第２の二次ボルト（１８）を含む第２のメスのスライド（３２）を前記方向（Ｄ）に押し、それによって前記第１の二次ボルト（１７）および前記第２の二次ボルト（１８）が互いに平行に移動するように、前記第２のプッシュボタンを構成することを特徴とする、請求項１に記載の３重折りたたみ式の安全な留め金（１）。
【請求項３】
前記ユーザが前記プッシュボタン（１１、１２）のうち１つに対して何も操作しない場合に、前記第１の二次ボルト（１７）および前記第２の二次ボルト（１８）、または前記第１の二次ボルト（１７）を有する第１のメスのスライド（３１）および前記第２の二次ボルト（１８）を有する第２のメスのスライド（３２）は、前記弾性復元手段に対して互いに独立して動くことができることを特徴とする、請求項１に記載の３重折りたたみ式の安全な留め金（１）。
【請求項４】
前記ユーザが前記プッシュボタン（１１、１２）のうち１つに対して何も操作しない場合に、前記第１の二次ボルト（１７）および前記第２の二次ボルト（１８）は、前記弾性復元手段に対して互いに独立して動くことができ、前記弾性復元手段は、前記第１のプッシュボタン（１１）および前記第２のプッシュボタン（１２）がそれに対向して動くことができる前記弾性復元手段（１３、１４）と同じであることを特徴とする、請求項１に記載の３重折りたたみ式の安全な留め金（１）。
【請求項５】
第１の前記相補的ロッキング穴（８）を、前記第１の一次ボルト（１５）および前記第１の二次ボルト（１７）の協働によって画定し、第２の前記相補的ロッキング穴（８）を、前記第２の一次ボルト（１６）および前記第２の二次ボルト（１８）の協働によって画定し、各前記相補的ロッキング穴（８；９）は、これに対応する前記ロッキングピン（６；７）が備える頭部（６Ｂ、７Ｂ）を通過させることができる開位置と、これに対応する前記ロッキングピン（６；７）の１つの前記狭窄部分（６Ａ、７Ａ）を、関連する前記ボルトが備えるベアリング面が形成する顎の間に挟持し、前記頭部（６Ｂ；７Ｂ）をこれに関連する前記ロッキングピン（６；７）を有する前記板（２；３）の反対側上で前記顎に対して押さえこむ閉鎖位置との間に、様々な体積のチャンバを形成することを特徴とする、請求項１に記載の３重折りたたみ式の安全な留め金（１）。
【請求項６】
前記第１のプッシュボタン（１１）は、前記第２のプッシュボタン（１２）と同様に、
前記バックル（１０）に対する延伸が最大であり、前記プッシュボタンが前記ロッキングピン（６；７）のいずれとも協働しない第１の安定静止位置と、前記プッシュボタン（１１）が少なくとも前記ロッキングピン（６、７）の１つを固定する第２の安定中間固定位置と、前記ユーザによる圧力を受け続け、前記プッシュボタンが前記ロッキングピン（６、７）を解放しようとする第３の一時解放位置との間で、前記方向（Ｄ）に動くことができ、
前記第１のプッシュボタン（１１）は前記第１の安定静止位置から前記第３の一時解放位置まで第１の作動方向（Ｄ１）に動くことができ、前記第２のプッシュボタン（１２）は前記第１の安定静止位置から前記第３の一時解放位置まで前記第１の方向（Ｄ１）と反対の第２の作動方向（Ｄ２）に動くことができ、
前記第１の一次ボルト（１５）および前記第２の一次ボルト（１６）はそれぞれ、前記第１のプッシュボタン（１１）の前記第１の安定静止位置に向かって移動するベアリング面（１５Ａ；１６Ａ）を含み、前記第１の二次ボルト（１７）および前記第２の二次ボルト（１８）はそれぞれ、前記第２のプッシュボタン（１２）の前記第１の安定静止位置に向かって移動するベアリング面（１７Ａ；１８Ａ）を含み、それによって、少なくとも前記第１のプッシュボタン（１１）または前記第２のプッシュボタン（１２）それぞれを前記ユーザが押さないときに、前記第１の一次ボルト（１５）および前記第２の一次ボルト（１６）、または前記第１の二次ボルト（１７）および前記第２の二次ボルト（１８）のそれぞれは、前記第１の二次ボルト（１７）および前記第２の二次ボルト（１８）、または前記第１の一次ボルト（１５）および前記第２の一次ボルト（１６）それぞれに対して、前記第１の作動方向（Ｄ１）または前記第２の作動方向（Ｄ２）それぞれと反対の方向に前記弾性復元手段の前記動作下で平行移動して、近づこうとすることを特徴とする、請求項１に記載の３重折りたたみ式の安全な留め金（１）。
【請求項７】
前記第１のプッシュボタン（１１）の前記第１の安定静止位置および前記第２の安定中間固定位置は同じであり、前記第２のプッシュボタン（１２）の前記第１の安定静止位置および前記第２の安定中間固定位置は同じであることを特徴とする、請求項６に記載の３重折りたたみ式の安全な留め金（１）。
【請求項８】
前記第１のプッシュボタン（１１）の前記バックル（１０）に対する可動性を、チャンバ（２３）におけるストッパ（２４）の移動によって制限し、前記第１の二次ボルト（１７）および前記第２の二次ボルト（１８）の前記バックル（１０）に対する可動性を、チャンバ（２５；２６）におけるストッパ（２７；２８）の移動によって制限することを特徴とする、請求項１に記載の３重折りたたみ式の安全な留め金（１）。
【請求項９】
前記第２のプッシュボタン（１２）の前記バックル（１０）に対する可動性を、チャンバ（３８、３９）における少なくとも１つの前記ストッパ（２７；２８）の移動によって制限することを特徴とする、請求項１に記載の３重折りたたみ式の安全な留め金（１）。
【請求項１０】
前記第２のプッシュボタン（１２）はスライドベアリング面（２９）を含み、前記スライドベアリング面（２９）を、前記二次ボルト（１７；１８）それぞれが備える相補的スライド面（３３；３４）と協働するように構成することを特徴とする、請求項１に記載の３重折りたたみ式の安全な留め金（１）。
【請求項１１】
前記バックル（１０）は、前記方向（Ｄ）への移動をガイドする、前記二次ボルト（１７；１８）または前記二次ボルト（１７；１８）を有するスライド（３１；３２）に含まれる第１の相補的ガイド面（３１Ａ；３２Ａ）と協働するように構成されるベアリング面（５１、５２）を含み、前記二次ボルト（１７；１８）または前記二次ボルト（１７；１８）を含むスライド（３１；３２）は、互いに協働するように、または、前記バックル（１０）もしくは前記第２のプッシュボタン（１２）もしくは前記第１のプッシュボタン（１１）が備える方向（Ｄ）へのガイド要素と協働するように構成される第２のガイド面（３６Ｂ、３７Ｂ）をも含むことを特徴とする、請求項１に記載の３重折りたたみ式の安全な留め金（１）。
【請求項１２】
前記第１の二次ボルト（１７）および前記第２の二次ボルト（１８）は、前記方向（Ｄ）に延在するガイド面（４５；４６）を含み、前記ガイド面（４５；４６）は、前記第１の一次ボルト（１５）および第２の一次ボルト（１６）の近傍で、前記第１のプッシュボタン（１１）が備える相補的ガイド面（４３；４４）と協働するように構成されることを特徴とする、請求項１に記載の３重折りたたみ式の安全な留め金（１）。
【請求項１３】
前記第１の二次ボルト（１７）および前記第２の二次ボルト（１８）は、前記方向（Ｄ）に延在するガイド面（４５；４６）を含み、前記ガイド面（４５；４６）は、前記第１のプッシュボタン（１１）の中間部に備えられるアーム（４１）と協働するように構成されることを特徴とする、請求項１に記載の３重折りたたみ式の安全な留め金（１）。
【請求項１４】
請求項１に記載の留め金（１）を含むブレスレット（１００）。
【発明の詳細な説明】
【技術分野】
【０００１】
本発明は、ブレスレットまたはベルトの両端を保持するための３重折りたたみ式の安全な留め金に関する。この留め金はバックルを含み、バックルの両側には第１の板および第２の板が蝶番で留められている。各板は、段付きのロッキングピンまたは穴それぞれを含み、また、留め金の閉鎖位置において、バックルに備えられた相補的ロッキング穴またはピンそれぞれと協働するように構成される。バックルは第１のプッシュボタンおよび第２のプッシュボタンを備える。第１のプッシュボタンおよび第２のプッシュボタンはそれぞれ、これらのプッシュボタンをロック位置に戻す弾性復元手段に対して同じ方向に動くことができ、それぞれが２つのボルトの前後運動を直接または間接的に制御するように構成される。２つのボルトは、別のプッシュボタンに制御されている反対側の２つのボルトに、上記方向で対向する。各ボルトは、閉鎖位置において、相補的ロッキング穴またはピンそれぞれの位置で、ロッキングピンまたは穴それぞれが備える狭窄部分を押さえこむように構成される。各プッシュボタンの個別の移動距離は、少なくとも２つの対向するボルトが、開位置において、ロッキング穴またはピンそれぞれの少なくとも１つの狭窄部分を解放する際の解放移動距離よりも小さく、プッシュボタン両方の移動を合わせた距離は、この解放移動距離以上である。
【０００２】
本発明はまた、この種類の留め金を含むブレスレットまたは時計のベルトに関する。
【０００３】
本発明は物体を固定する分野に関し、特に人体に対して物体を固定する分野に関し、より具体的には、時計および宝飾品の分野に関する。
【０００４】
本発明を、より具体的に、ブレスレット、リストバンドまたは腕時計を留める目的で、宝飾時計の分野に関して説明する。
【背景技術】
【０００５】
ブレスレット用、具体的には腕時計または宝飾品用の、折りたたみ式の可動板を備える留め金は多数知られている。
【０００６】
３重の留め金と呼ばれる多くの留め金では、２つの板をバックルに蝶番で止め、バックル上に板を折りたたむ。各板は、バックルの１つの穴とロック位置において協働するピンを含む。バックルには２つのプッシュボタンを弾性的に装着して取り付ける。２つのプッシュボタンのうち１つのみを押すだけでも留め金が開いてしまうことが多く、これは安全上の観点からは満足できるものではない。同様に、第１の板をロックした後に他方の板を閉じると、プッシュボタンを分離することになり、すでにロックされて一時的に固定されていた板を解放してしまうことも多い。設計者の中には、この後者の欠点を、板を連続した順番で閉じるように設定することで克服した者もあるが、ユーザには不便である。
【０００７】
様々な留め金装置が、この問題に対して解決策を提供している。ＣＯＲＮＵ＆ＣＩＥ  ＳＡによる特許文献１は、部品数の少ない留め金を開示している。特許文献１の留め金は、音叉の形状のプッシュボタン分岐部の弾性変形を利用しており、分岐部の端部は板の保持係止部を形成している。ＧＴＦ  ＳＲＬによる特許文献２は、ボルトを備えるボルト装置を開示している。ボルトはくぼんだ通路を有し、Ｖ字型のばねがその通路に当接する。ボルトはケースの外側に突出して、板が備えるフックと協働する。解除するには、単一のプッシュボタンが、折れ曲がりによって動作するばねに向かって、ボルトが備える斜面を押す。シチズン時計株式会社による特許文献３は、それぞれに傾斜形状のカムが設けられた４つのボルトを備える留め金を開示している。傾斜カムは、ばねに対して２つ一組で配置され、２つの対向する傾斜をそれぞれ備える２つのプッシュボタンによって、ばねに向かって動作する。
【０００８】
ＨＵＡＤＯＮＧ  ＧＵＡＮによる特許文献４は、第１のばねが押し戻す２つのプッシュボタンを備える留め金を提示している。２つのプッシュボタンはそれぞれ、第１のばねに対して直角なばねによって外側に押される２つの爪を含む。
【０００９】
要約すれば、提示されている解決策は、基本的に特定の部品の弾性に基づいているため、複雑であるか、脆弱であることが多い。
【発明の概要】
【発明が解決しようとする課題】
【００１０】
本発明は、不意に開くこと、または再び開くことを防止する、安全な留め金を作ることを提案する。この留め金は、たとえば、留め金の１つの板がすでに折りたたまれ、第１のピンがバックルの上に固定されている時に、第２の板を閉じて第２の板が有するピンを挿入することによって、第１のピンの解除が起こって留め金が開いたり、さらには時計またはブレスレットに接続する物体が落ちたりすることを防ぐ。
【課題を解決するための手段】
【００１１】
したがって、本発明は、ブレスレットまたはベルトの２つの端部を保持するための３重折りたたみ式の安全な留め金に関する。この留め金はバックルを備え、バックルの両側には第１の板および第２の板が蝶番で留められている。各板は、段付きのロッキングピンまたは穴それぞれを含み、また、留め金の閉鎖位置において、バックルに備えられた相補的ロッキング穴またはピンそれぞれと協働するように構成される。バックルは第１のプッシュボタンおよび第２のプッシュボタンを含む。第１のプッシュボタンおよび第２のプッシュボタンはそれぞれ、これらのプッシュボタンをロック位置へと戻す弾性復元手段に対して同じ方向に動くことができ、それぞれが２つのボルトの前後運動を直接または間接的に制御するように構成される。２つのボルトは、別のプッシュボタンに制御されている反対側の２つのボルトに向かって、上記方向で対向する。各ボルトは、閉鎖位置において、相補的ロッキング穴またはピンそれぞれの位置で、ロッキングピンまたは穴それぞれが備える狭窄部分を押さえこむように構成される。各プッシュボタンの個別の移動距離は、少なくとも２つの対向するボルトが、開位置において、ロッキングピンまたは穴それぞれの少なくとも１つの狭窄部分を解放する際の解放移動距離よりも小さく、プッシュボタン両方の移動を累積した距離は、この解放移動距離以上である。本発明の３重折りたたみ式の安全な留め金は、以下を特徴とする。第１のプッシュボタンは第１のロッキングピンまたは穴それぞれに対向する第１の一次ボルトと、第２のロッキングピンまたは穴それぞれに対向する第２の一次ボルトを、同時に、直接的に、かつ一体的に駆動する。一方、第２のプッシュボタンは、第１のロッキングピンまたは穴それぞれに対向する第１の二次ボルトと、第２のロッキングピンまたは穴それぞれに対向する第２の二次ボルトを、独立して駆動する。このため、２つのプッシュボタンを一緒に作動させる場合にのみ、すべてのボルトが解放移動距離全体にわたって移動し、第１のロッキングピンおよび第２のロッキングピンまたは穴それぞれの両方を完全に解放する。このため、２つの二次ボルトのうち１つは、ロッキングピンまたは穴それぞれのうち１つを、これに対応する相補的ロッキング穴またはピンそれぞれに向かって挿入する間、ロック復元位置に留まり、ロック位置を取る。
【００１２】
本発明の１つの特徴によると、第２のプッシュボタンをユーザが押すと、第２のプッシュボタンが、それが備えるベアリング面を介して、第１の二次ボルトの第１のベアリング面および第２の二次ボルトの第２のベアリング面を上記の方向に押し、それによって、第１の二次ボルトおよび第２の二次ボルトが互いに平行に移動するように、第２のプッシュボタンを構成する。
【００１３】
本発明の別の特徴によれば、ユーザがプッシュボタンのうち１つに対して何も操作しないと、第１の二次ボルトおよび第２の二次ボルトは、弾性復元手段に対して互いに独立して動くことができる。
【００１４】
本発明のさらに別の特徴によれば、第１の相補的ロッキング穴またはピンそれぞれを、第１の一次ボルトおよび第１の二次ボルトの協働によって画定し、第２の相補的ロッキング穴またはピンそれぞれを、第２の一次ボルトおよび第２の二次ボルトの協働によって画定する。各相補的ロッキング穴またはピンそれぞれは、開位置と閉鎖位置との間で様々な体積のチャンバを形成する。開位置では、これに対応するロッキングピンまたは穴それぞれが備える頭部を通過させることができる。閉鎖位置では、これに対応する１つのロッキングピンまたは穴それぞれの狭窄部分を、関連するボルトが備えるベアリング面が形成する顎の間で挟持することができ、ロッキングピンまたは穴を有する板の反対側にある頭部を、顎に対して押さえこむ。
【００１５】
本発明はまた、この種類の留め金を含むブレスレットまたはリストバンドに関する。
【００１６】
本発明は、添付図を参照して、以下の詳細な説明を読むとより明らかになるであろう。
【図面の簡単な説明】
【００１７】
【図１】本発明による留め金を備えるブレスレットの部分的な概略斜視図を示し、バックル上に蝶番で止めた２つの板を備え、２つの略同一平面上のプッシュボタンによって制御する機構を閉じる。
【図２】２つのプッシュボタンに対する一般的な略中間平面における、本発明による留め金の中央部分の部分的な概略上面断面図を示し、２つのピンが安定ロック位置で、２つの板のうち１つとそれぞれ接続している。
【図３】図２と同様の方法で、一時的な位置にある同じ機構を示し、２つのプッシュボタンが完全に押し込まれ、２つのピンは、留め金に対して自由に挿入または除去できる。
【図４】第１の板に固定したピンの詳細な構造の側面図を示す。
【図５】第２の板に固定したピンの詳細な構造の側面図を示す。
【図６】図２と同じ位置にある、２つのプッシュボタンを互いに離間させようとする戻りばねを備える留め金の部分的な概略上面斜視図を示す。
【図７】図２の留め金の変形の部分的な概略上面図を示し、プッシュボタンが制御する操作ボルトは固有のベアリング面を含む。
【図８】図７の底面図を示す。
【図９】図７と同様に、留め金が開かないようにするデバイスを示す。
【図１０】図９の底面図を示す。
【発明を実施するための形態】
【００１８】
本発明は物体を固定する分野に関し、特に人に対して物体を固定する分野に関し、より具体的には、時計、および宝飾品の分野に関する。
【００１９】
本発明を、より具体的に、ブレスレット、リストバンドまたは腕時計を留める目的で、宝飾時計の分野に関して説明する。
【００２０】
本発明は、ブレスレット１００またはベルトの２つの端部２００、３００を保持するための、３重折りたたみ式の安全な留め金に関する。「ベルト」は広義に理解するべきであり、ハーネス、負荷保持ベルトまたは別の種類のベルト留め具であってよい。
【００２１】
本明細書はより具体的には、腕時計またはブレスレット１００用の留め金１に関するが、ここに挙げる好ましい適用例は、いかなる意味でも本発明を制限するものではない。
【００２２】
図１に示すように、この留め金１はバックル１０を含み、バックル１０の両側には第１の板２および第２の板３のための、蝶番または類似物などの蝶番式関節手段４および５がある。第１の板２および第２の板３は、ブレスレット１００の端部２００、３００に接続されており、それぞれロッキングピン６、７を含む。本発明は突出するピンを有する本構成で例示されているが、ピンの代わりに穴を用い、穴の代わりにピンを使用する鏡対称の設計にも適用可能である。
【００２３】
図４および図５に示すように、各ロッキングピン６、７または穴それぞれは段付きであることが好ましく、頭部６Ｂ、７Ｂと、頭部６Ｂ、７Ｂの直径または寸法よりも小さい直径を持つ狭窄部分６Ａ、７Ａとを備える。ロッキングピン６、７または穴それぞれを、留め金１の閉鎖位置で、バックル１０が備える相補的ロッキング穴８、９またはピンそれぞれと協働するように構成する。
【００２４】
このバックル１０は第１のプッシュボタン１１および第２のプッシュボタン１２を含み、第１のプッシュボタン１１および第２のプッシュボタン１２はそれぞれ、これらのプッシュボタンを固定位置に戻す弾性復元手段１３、１４に対して、同じ方向Ｄに動くことができ、それぞれ第１のプッシュボタン１１の２つのボルト１５、１６と、第２のプッシュボタン１２の２つのボルト１７、１８の前後運動を直接または間接的に制御する。２つのボルト１５、１６または１７、１８はそれぞれ、別のプッシュボタン１２または１１に制御されている反対側の２つのボルト１７、１８または１５、１６に、方向Ｄで対向する。この方向Ｄは、従来技術と同様にブレスレット１００の延伸方向に垂直となる好ましい実施形態で、図面に示されている。
【００２５】
図に例示する具体的な例では、第１のプッシュボタン１１および第２のプッシュボタン１２は略同一平面上にあり、好ましくは同一平面上にある。
【００２６】
各ボルト１５、１６、１７、１８を、この閉鎖位置において、相補的ロッキング穴８、９またはピンそれぞれの位置で、関連するロッキングピン６、７または穴それぞれの狭窄部分６Ａ、７Ａを押さえこむように構成する。
【００２７】
各プッシュボタン１１、１２の個別の移動距離は、少なくとも２つの対向するピンが、開位置において、ロッキングピン６、７または穴それぞれの少なくとも１つの狭窄部分６Ａ、７Ａを解放する際の解放移動距離よりも小さい。
【００２８】
プッシュボタン１１、１２の移動を合わせた距離は、この解放移動距離以上である。
【００２９】
本発明によれば、具体的には図２に示すように、第１のプッシュボタン１１は第１のロッキングピン６または穴それぞれに対向する第１の一次ボルト１５と、第２のロッキングピン７または穴それぞれに対向する第２の一次ボルト１６を直接的、一体的、かつ同時に駆動する。好ましくは、第１のプッシュボタン１１、第１の一次ボルト１５および第２の一次ボルト１６は１個のアセンブリを形成する。
【００３０】
第２のプッシュボタン１２は、第１のロッキングピン６または穴それぞれに対向する第１の二次ボルト１７と、第２のロッキングピン７または穴それぞれに対向する第２の二次ボルト１８を、互いに独立して駆動する。このため、２つのプッシュボタン１１、１２を一緒に作動させる場合にのみ、すべてのボルト１５、１６、１７、１８が解放移動距離全体にわたって移動し、第１のロッキングピン６および第２のロッキングピン７または穴それぞれの両方を完全に解放する。このため、２つの二次ボルト１７、１８のうち１つは、ロッキングピン６、７または穴それぞれのうち１つを、これに対応する相補的ロッキング穴８、９またはピンそれぞれに向かって挿入する間、ロック復元位置に留まり、ロック位置を取る。
【００３１】
好ましくは、図３に示すように、第２のプッシュボタン１２にユーザが圧力をかけると、第２のプッシュボタン１２が、それが備えるベアリング面１２Ａを介して、第１の二次ボルト１７の第１のベアリング面３１Ｂ、または第１の二次ボルト１７を含む第１のメスのスライド３１を方向Ｄに押し、および第２の二次ボルト１８の第２のベアリング面３２Ｂ、または第２の二次ボルト１８を含む第２のメスのスライド３２を方向Ｄに押し、それによって、第１の二次ボルト１７および第２の二次ボルト１８が互いに平行に移動するように、第２のプッシュボタン１２を構成する。
【００３２】
本発明によれば、好ましくは、ユーザがプッシュボタン１１、１２のうち１つに対して何も操作しないと、第１の二次ボルト１７および第２の二次ボルト１８は、弾性復元手段に対して互いに独立して動くことができる。この構成は、２つの二次ボルトのうち１つをロック位置に保つことができるため、特に有利である。この構成によって、たとえば、ユーザがまだ留め金に係合していない別のピンを有する板を扱う際、すでに係合しているピン６または７はロック状態に保たれており、ピンを対応する穴に挿入すると、ボルトは穴から離れる方向に動いて、それによって、すでに係合してロックされているピンを解放せずに、別のピンを穴に通すことができる。また、別のピンを挿入中に、第１のプッシュボタンがロック位置から離れる場合でも、すでに係合しているピンを保有する二次ボルトはこの動きに影響を受けず、固定位置に留まることになる。
【００３３】
有利には、図６から図１０に示すように、ユーザがプッシュボタン１１、１２の１つに対して何も操作しないと、第１の二次ボルト１７および第２の二次ボルト１８は、弾性復元手段に対して互いに独立して動くことができる。この弾性復元手段は、第１のプッシュボタン１１および第２のプッシュボタン１２が対向して動くことができる弾性復元手段１３、１４と同じである。
【００３４】
相補的ロッキング穴８、９またはピンそれぞれは、変化可能な形状を持つチャンバであり、それぞれ第１のプッシュボタン１１が作動する一次ボルト、および第２のプッシュボタン１２が作動する二次ボルトによって画定されることは明らかである。一次および二次ボルトを、これに対応するロッキングピン６、７または穴それぞれを押さえこむ顎のように動作するように構成する。したがって、第１の相補的ロッキング穴８またはピンそれぞれを、第１の一次ボルト１５および第１の二次ボルト１７の協働によって画定し、および第２の相補的ロッキング穴８またはピンそれぞれを、第２の一次ボルト１６および第２の二次ボルト１８の協働によって画定する。各相補的ロッキング穴８、９またはピンそれぞれは、開位置と閉鎖位置との間で様々な体積のチャンバを形成する。開位置では、これに対応するロッキングピン６、７または穴それぞれが備える頭部６Ｂ、７Ｂを通過させることができ、閉鎖位置では、それぞれ対応するロッキングピン６、７または穴それぞれの狭窄部分６Ａ、７Ａを、関連するボルトが備えるベアリング面が形成する顎の間で挟持することができ、これにそれぞれ関連するロッキングピン６、７または穴を有する板２、３の反対側にある頭部６Ｂ、７Ｂを、顎に対して押さえこむ。
【００３５】
第１のプッシュボタン１１は、第２のプッシュボタン１２と同様に、第１の安定静止位置ＰＳＲと、別の第２の中間安定ロック位置ＰＳＩと、第３の一時解放位置ＰＴＬとの間で、方向Ｄに動くことができる。第１の安定静止位置ＰＳＲでは、バックル１０に対する第１のプッシュボタンの延伸は最大であり、ロッキングピン６、７または穴それぞれのいずれとも協働しない。別の第２の中間安定ロック位置ＰＳＩでは、第１のプッシュボタン１１は少なくともロッキングピン６、７または穴それぞれのうち１つを押さえこみ、第３の一時解放位置ＰＴＬでは、ユーザが圧力をかけ続けており、プッシュボタンはロッキングピン６、７または穴それぞれを解放しようとする。
【００３６】
具体的な実施形態では、第１のプッシュボタン１１の第１の安定静止位置ＰＳＲおよび第２の中間安定ロック位置ＰＳＩは同じである。第２のプッシュボタン１２の第１の安定静止位置ＰＳＲおよび第２の中間安定ロック位置ＰＳＩは同じである。
【００３７】
第１のプッシュボタン１１は、第１の安定静止位置から第３の一時解放位置まで、第１の作動方向Ｄ１に動くことができる。第２のプッシュボタン１２は第１の安定静止位置から第３の一時解放位置まで、第１の方向Ｄ１と反対の第２の作動方向Ｄ２に動くことができる。
【００３８】
第１のプッシュボタン１１に関してのみ、ユーザがプッシュボタンを操作することによってではなく、ユーザが板２または板３の１つを操作することによって、この第３の一時解放位置ＰＴＬに至ってもよい。
【００３９】
ただし、二次ボルト１７および１８を互いに独立して押すという、第２のプッシュボタン１２に固有の運動は、不可逆性である。ピンが、関連する二次ボルトの位置で、対応する穴と係合していない場合、２つの二次ボルト１７および１８のうち１つを方向Ｄ２と反対の方向Ｄ１に完全に戻すことによって、第２のプッシュボタン１２を第１の安定静止位置ＰＳＲに戻す効果がもたらされる。別の二次ボルトは次に、何の影響も受けずに完全に自由に動き、したがって、第２のプッシュボタン１２を完全に安定休止位置ＰＳＲまで押し戻す。
【００４０】
第２のプッシュボタン１２は、各ピン６、７または穴それぞれが、対応する穴またはピンそれぞれに同時に係合するとき、第２の中間安定静止位置ＰＳＩを占有する。
【００４１】
好ましくは、各ボルトは対応するピンまたは穴それぞれを牽引して押さえ込もうとする。各プッシュボタンはしたがって、フック型のボルトを駆動する。
【００４２】
図６に示すように、第１の一次ボルト１５および第２の一次ボルト１６はそれぞれベアリング面１５Ａ、１６Ａを含む。ベアリング面１５Ａ、１６Ａは、第１のプッシュボタン１１がその第１の安定静止位置ＰＳＲから第３の一時解放位置ＰＴＬに変化する方向Ｄ１と反対の方向に向かって、つまり、第１のプッシュボタン１１の第１の安定静止位置ＰＳＲに向かって移動する。同様に、第１の二次ボルト１７および第２の二次ボルト１８はそれぞれベアリング面１７Ａ、１８Ａを含み、ベアリング面１７Ａ、１８Ａは、第２のプッシュボタン１２がその第１の安定静止位置ＰＳＲから第３の一時解放位置ＰＴＬに変化する方向Ｄ２と反対の方向に向かって、つまり、第２のプッシュボタン１２の第１の安定静止位置ＰＳＲに向かって移動する。この構成を設定することによって、ユーザが少なくとも第１のプッシュボタン１１または第２のプッシュボタン１２それぞれを押さないときに、第１の一次ボルト１５および第２の一次ボルト１６、または第１の二次ボルト１７および第２の二次ボルト１８のそれぞれは、第１の二次ボルト１７および第２の二次ボルト１８、または第１の一次ボルト１５および第２の一次ボルト１６それぞれに近づこうとし、第１の作動方向Ｄ１または第２の作動方向Ｄ２それぞれと反対の方向に、弾性復元手段の動作下で、平行移動する。この弾性復元手段は、好ましくは、第１のプッシュボタン１１および第２のプッシュボタン１２が対向して動くことができる弾性復元手段１３、１４と同じである。
【００４３】
ベアリング面１５Ａ、１６Ａ、１７Ａ、１８Ａは、図６、図７、図９および図１０に示すように傾斜してもよく、および／または丸みを帯びていてもよい。ベアリング面は、有利には、ピン６および７の頭部６Ｂ、７Ｂを押し戻そうとするように構成された漸減面によって対応するボルトに接続される嘴状部分によって形成される。
【００４４】
このフック構造が確実に牽引固定を行うことで、ロッキングピンが確実に適切に保持され、留め金１の部品も留め金内に確実に保持される。
【００４５】
図９は、操作空間Ｊの形態において、留め金１が開くことを防ぐためのデバイスを示す。
【００４６】
図７および図８は本発明の具体的な実施形態を例示する。本実施例では、第１のプッシュボタン１１にはオスのプッシュボタン構造を採用しており、この構造はその中間部に接続アーム４１を含み、接続アーム４１の端部は第１の一次ボルト１５および第２の一次ボルト１６を有する。第２のプッシュボタン１２は、これを強く押すことによって、第１の二次ボルト１７を有する第１のメスのスライド３１と、第２の二次ボルト１８を有する第２のメスのスライド３２とを操作するように考案されている。
【００４７】
部品の確実な保持および移動距離の制限を両方とも確実に行うために、本発明は所定数のストッパ部材を備える。したがって、チャンバ２３内のストッパ２４の移動によって、第１のプッシュボタン１１のバックル１０に対する可動性を制限する。同様に、図２、図７、および図８に示すように、チャンバ２５、２６内のストッパ２７、２８の移動によって、第１の二次ボルト１７および第２の二次ボルト１８の、またはより正確にはこれらのボルトを含むスライド３１および３２の、バックル１０に対する可動性を制限する。
【００４８】
同様に、チャンバ３８、３９内の少なくとも１つのストッパ２７、２８の移動によって、実際の第２のプッシュボタン１２のバックル１０に対する可動性を制限する。
【００４９】
具体的な実施形態では、図６に示すように、第２のプッシュボタン１２は、相補的スライド面３３、３４と協働するように構成するスライドベアリング面２９を含む。相補的スライド面３３、３４は、二次ボルト１７、１８それぞれ、またはこれらのボルトを含むメスのスライド３１、３２それぞれのうちどちらかに含まれる。
【００５０】
図に例示する形態では、スライド３１、３２は、オスのプッシュボタン１１のためのガイド手段を形成するように構成されているため、「メス」と呼ばれる。このように、バックル１０は、方向Ｄへの移動をガイドする、二次ボルト１７、１８、または二次ボルト１７、１８を有するスライド３１、３２に含まれる第１の相補的ガイド面３１Ａ、３２Ａと協働するように構成された、ベアリング面５１、５２を備える。これらの二次ボルト１７、１８またはスライド３１、３２はさらに、互いに協働するように、または、バックル１０および／もしくは第２のプッシュボタン１２および／もしくは第１のプッシュボタン１１に含まれる方向Ｄへのガイド要素と協働するように構成された、第２のガイド面３６Ｂ、３７Ｂを含む。
【００５１】
図８は、これら第２のガイド面３６Ｂ、３７Ｂが、二次ボルト１７、１８または二次ボルト１７、１８を有するスライド３１、３２に含まれるスタッド３６、３７に属している形態を例示する。これらスタッドは、第２のプッシュボタン１２が備える溝の側面３５Ａ、３５Ｂと協働するように構成された、他のガイド面３６Ｃ、３７Ｃを備える。
【００５２】
図８に例示する具体的な実施形態では、第１の二次ボルト１７および第２の二次ボルト１８、または第１の二次ボルト１７および第２の二次ボルト１８を有するメスのスライド３１、３２は、方向Ｄに延在するガイド面４５、４６を備える。ガイド面４５、４６は、第１の一次ボルト１５および第２の一次ボルト１６の近傍で第１のプッシュボタン１１が備える相補的ガイド面４３、４４と協働するように構成される。
【００５３】
図８に示す具体的な実施形態では、第１の二次ボルト１７および第２の二次ボルト１８、または、第１の二次ボルト１７および第２の二次ボルト１８を有するメスのスライド３１、３２は、方向Ｄに延在するガイド面４７、４８を備える。ガイド面４７、４８は、第１のプッシュボタン１１の中間部に備えられたアーム４１と協働するように構成される。
【００５４】
本発明によるプッシュボタンガイド面および留め金のボルトの具体的な設計は、どこにも干渉しない、柔軟で正確な操作を保証する。
【００５５】
また、本発明による留め金は、特に堅固であり、高価な腕時計または宝飾品のブレスレットを留めるために非常に適している。
【００５６】
本発明はまた、この種類の留め金１を含むブレスレット１００に関する。
【図１】
0005427922.tif 000002
【図２】
0005427922.tif 000003
【図３】
0005427922.tif 000004
【図４】
0005427922.tif 000005
【図５】
0005427922.tif 000006
【図６】
0005427922.tif 000007
【図７】
0005427922.tif 000008
【図８】
0005427922.tif 000009
【図９】
0005427922.tif 000010
【図１０】
0005427922.tif 000011